(57)【特許請求の範囲】
【請求項１】
サービス情報を登録する登録者が操作する第１の端末装置と、前記サービス情報を利用するユーザが操作する第２の端末装置と、前記サービス情報を蓄積し、前記第２の端末装置からのユーザによる指定に従って前記サービス情報を提供する複数の情報サービス用サーバと、前記複数の情報サービス用サーバに蓄積されたサービス情報を連携する連携用サーバとがネットワークに接続されるシステムにおける前記連携用サーバであって、
前記複数の情報サービス用サーバのそれぞれに蓄積されたサービス情報に対応させたサービスＩＤと、前記サービス情報に関連する情報のサービスＩＤと、情報交換ＩＤとが紐付けされたサービス情報テーブル、及び、前記サービスＩＤのそれぞれに紐付けされた前記情報交換ＩＤを含む連携情報テーブルを記憶した記憶部と、
前記第１の端末装置からの前記登録者による指定があると、前記登録者による指定に対応する情報交換ＩＤ及びサービスＩＤに基づいて、前記サービス情報テーブル及び連携情報テーブルを記憶部に記憶し、
前記複数の情報サービス用サーバのうちの前記ユーザが利用する情報サービス用サーバに対し、前記第２の端末装置からの前記ユーザによる指定があると、前記記憶部の連携情報テーブルから、前記ユーザによる指定に対応するサービスＩＤに紐付けられた情報交換ＩＤを追跡し、前記記憶部のサービス情報テーブルから、前記追跡した情報交換ＩＤに紐付けられた全てのサービスＩＤを取得する処理部と、
前記処理部により取得されたサービスＩＤを、前記情報サービス用サーバへ送信する通信部と、
を備えたことを特徴とする連携用サーバ。
【請求項２】
請求項１に記載の連携用サーバにおいて、
前記記憶部には、サービスＩＤ同士が、ウェブサイトのアドレスを指定するＵＲＬ（Ｕｎｉｆｏｒｍ  Ｒｅｓｏｕｒｃｅ  Ｌｏｃａｔｏｒ）と共に紐付けされた状態で記憶されており、
前記処理部は、前記記憶部から、前記所望のサービスＩＤ、それに紐付けられた全てのサービスＩＤ及び前記ＵＲＬを取得し、
前記通信部は、前記所望のサービスＩＤ、それに紐付けられた全てのサービスＩＤ及び前記ＵＲＬを、前記情報サービス用サーバへ送信する、ことを特徴とする連携用サーバ。
【請求項３】
請求項２に記載の連携用サーバにおいて、
前記サービスＩＤを記憶部に登録する登録者の端末装置における入力操作に従い、前記関連するサービス情報のサービスＩＤ同士を、前記ＵＲＬと共に紐付けした状態で前記記憶部に登録する登録部を備えたことを特徴とする連携用サーバ。
【請求項４】
コンピュータを、請求項１乃至３のいずれか一項に記載のサーバとして機能させるためのプログラム。
【請求項５】
サービス情報を登録する登録者が操作する第１の端末装置と、前記サービス情報を利用するユーザが操作する第２の端末装置と、前記サービス情報を蓄積し、前記第２の端末装置からのユーザによる指定に従って前記サービス情報を提供する複数の情報サービス用サーバと、前記複数の情報サービス用サーバに蓄積されたサービス情報を連携する連携用サーバとがネットワークに接続されるシステムにおける前記連携用サーバによる情報連携方法であって、
前記第１の端末装置からの前記登録者による指定があると、前記複数の情報サービス用サーバのそれぞれに蓄積されたサービス情報に対応させたサービスＩＤと、前記サービス情報に関連する情報のサービスＩＤと、情報交換ＩＤとが紐付けされたサービス情報テーブル、及び、前記サービスＩＤのそれぞれに紐付けされた前記情報交換ＩＤを含む連携情報テーブルを、前記登録者による指定に対応する情報交換ＩＤ及びサービスＩＤに基づいて、記憶部に記憶するステップと、
前記複数の情報サービス用サーバのうちの前記ユーザが利用する情報サービス用サーバに対し、前記第２の端末装置からの前記ユーザによる指定があると、前記ユーザによる指定に対応するサービスＩＤを、前記情報サービス用サーバから受信するステップと、
前記記憶部の連携情報テーブルから、前記サービスＩＤに紐付けられた情報交換ＩＤを追跡し、前記記憶部のサービス情報テーブルから、前記追跡した情報交換ＩＤに紐付けられた全てのサービスＩＤを取得するステップと、
前記取得したサービスＩＤ及びそれに紐付けられた全てのサービスＩＤを、前記情報サービス用サーバへ送信するステップと、
を有することを特徴とする情報連携方法。
【発明の詳細な説明】
【技術分野】
【０００１】
本発明は、関連するサービス情報を連携させ、連携させた一連のサービス情報をユーザへ提供する連携用サーバ、プログラム及び情報連携方法に関する。
【背景技術】
【０００２】
近年、インターネットを利用した映画または音楽の試聴、オンラインショッピングなどのサービスが普及してきている。これらのサービスは、インターネットに接続された映画サービス用サーバ、音楽サービス用サーバ、ショッピングサービス用サーバなどの各種情報サービス用サーバによって提供される。利用者はパソコンなどの端末機器を使用し、映画サービス用サーバへアクセスすることで当該サーバが保有する映画情報を得ることができ、また、音楽サービス用サーバへアクセスすることで当該サーバが保有する音楽情報を得ることができる。さらに、ショッピングサービス用サーバへアクセスすることで、そのサーバで提供される商品のショッピングを行うことができる。
【０００３】
様々な種類の情報サービス用サーバの増加により、１つの情報サービス用サーバから提供されるサービスだけでは利用者の要求を充分に満足させることができず、複数のサービスを利用することが必要な場合が多くなってきている。この状況に伴い、複数の情報サービス用サーバ間のサービスの連携を支援する装置も案出されている（特許文献１を参照）。このサービス連携支援装置は、複数の情報サービス用サーバとインターネットを介して通信可能に接続され、情報サービス用サーバが提供する際に必要な入力項目の入力データを情報サービス用サーバへ送信するとともに、情報サービス用サーバから送信される出力項目の出力データを受信することにより情報サービス用サーバからサービスの提供を受ける。さらに、一つの情報サービス用サーバから受信する出力項目と他の情報サービス用サーバへ送信する入力項目との関連付けが行われた入出力項目について、入出力データの受け渡しを行う。これにより、複数の情報サービス用サーバからのサービス提供が連携して行われる。
【０００４】
具体的には、サービス連携支援装置は、入力データを受け付ける入力項目、出力データを受け付ける出力項目、情報サービス用サーバとの間で通信開始を受け付ける起動スイッチが各情報サービス用サーバそれぞれに対応して設定され、それぞれの情報サービス用サーバとの通信形態の仕様情報が設定されたサービスインタフェースを表示するインタフェース表示制御部と、サービスインタフェース上で異なる情報サービス用サーバの入出力項目間の関連付けが行われることにより関連付けられた入出力項目に関する入出力データが連動して設定される連携データ設定部と、各情報サービス用サーバと送受信する入出力データを、それぞれの情報サービス用サーバの通信形態の仕様に適合させて送受信するアダプタ部と、各情報サービス用サーバとの間で通信を実行する際に、サービスインタフェースに設定された通信形態の仕様情報に基づいてその情報サービス用サーバの通信形態の仕様情報に適合するアダプタを選択して入力データを変換した上で送信し、情報サービス用サーバから受信した出力データを同じアダプタで変換した上で出力データをサービスインタフェースに表示するサービス実行部と、を備える。
【先行技術文献】
【特許文献】
【０００５】
【特許文献１】特開２００９−９４５５号公報
【発明の概要】
【発明が解決しようとする課題】
【０００６】
しかしながら、従来のインターネットを利用した映画または音楽の試聴、オンラインショッピングなどのサービスでは、利用者がアクセスした情報サービス用サーバが保有する情報のみを取得できるだけで、その他の情報は取得することができない。例えば、利用者が映画サービス用サーバへアクセスした場合、そのサーバが保有する映画情報しか取得できない。映画情報には、それに関連する音楽（例えば映画の主題歌）があるが、音楽のデータをダウンロードしたり、ＣＤ（Ｃｏｍｐａｃｔ  Ｄｉｓｋ）またはＤＶＤ（Ｄｉｇｉｔａｌ  Ｖｅｒｓａｔｉｌｅ  Ｄｉｓｋ）として購入したりすることもできない。
【０００７】
一方、上述した特許文献１に記載されたサービス連携支援装置は、サービスの利用者側で組み合わせるサービス（即ち組み合わせる情報サービス用サーバ）、及びサービス間の連携（即ち入出力項目）を自由に選択することを可能とし、関係付けがなされた出力項目と入力項目との間でデータの受け渡しを可能としたものであって、一つの情報に対して関連する複数の情報を取得するものではない。
【０００８】
そこで、本発明はかかる問題を解決するためになされたものであり、その目的は、利用者がアクセスした情報サービス用サーバが保有する情報を提供する以外に、該情報に関連し、他の情報サービス用サーバが保有する情報をも同時に提供することが可能な連携用サーバ、プログラム及び情報連携方法を提供することにある。
【課題を解決するための手段】
【０００９】
上記目的を達成するために、請求項１の連携用サーバの発明は、サービス情報を登録する登録者が操作する第１の端末装置と、前記サービス情報を利用するユーザが操作する第２の端末装置と、前記サービス情報を蓄積し、前記第２の端末装置からのユーザによる指定に従って前記サービス情報を提供する複数の情報サービス用サーバと、前記複数の情報サービス用サーバに蓄積されたサービス情報を連携する連携用サーバとがネットワークに接続されるシステムにおける前記連携用サーバであって、前記複数の情報サービス用サーバのそれぞれに蓄積されたサービス情報に対応させたサービスＩＤと、前記サービス情報に関連する情報のサービスＩＤと、情報交換ＩＤとが紐付けされたサービス情報テーブル、及び、前記サービスＩＤのそれぞれに紐付けされた前記情報交換ＩＤを含む連携情報テーブルを記憶した記憶部と、前記第１の端末装置からの前記登録者による指定があると、前記登録者による指定に対応する情報交換ＩＤ及びサービスＩＤに基づいて、前記サービス情報テーブル及び連携情報テーブルを記憶部に記憶し、前記複数の情報サービス用サーバのうちの前記ユーザが利用する情報サービス用サーバに対し、前記第２の端末装置からの前記ユーザによる指定があると、前記記憶部の連携情報テーブルから、前記ユーザによる指定に対応するサービスＩＤに紐付けられた情報交換ＩＤを追跡し、前記記憶部のサービス情報テーブルから、前記追跡した情報交換ＩＤに紐付けられた全てのサービスＩＤを取得する処理部と、前記処理部により取得されたサービスＩＤを、前記情報サービス用サーバへ送信する通信部と、を備えたことを特徴とする。
【００１０】
請求項２の連携用サーバの発明は、請求項１の連携用サーバの発明において、前記記憶部には、サービスＩＤ同士が、ウェブサイトのアドレスを指定するＵＲＬ（Ｕｎｉｆｏｒｍ  Ｒｅｓｏｕｒｃｅ  Ｌｏｃａｔｏｒ）と共に紐付けされた状態で記憶されており、前記処理部は、前記記憶部から、前記所望のサービスＩＤ、それに紐付けられた全てのサービスＩＤ及び前記ＵＲＬを取得し、前記通信部は、前記所望のサービスＩＤ、それに紐付けられた全てのサービスＩＤ及び前記ＵＲＬを、前記情報サービス用サーバへ送信する、ことを特徴とする。
【００１１】
請求項３の連携用サーバの発明は、請求項２の連携用サーバの発明において、前記サービスＩＤを記憶部に登録する登録者の端末装置における入力操作に従い、前記関連するサービス情報のサービスＩＤ同士を、前記ＵＲＬと共に紐付けした状態で前記記憶部に登録する登録部を備えたことを特徴とする。
【００１２】
請求項４のプログラムの発明は、コンピュータを、請求項１乃至３のいずれか一項に記載のサーバとして機能させるためのプログラム。
【００１３】
請求項５の情報連携方法の発明は、サービス情報を登録する登録者が操作する第１の端末装置と、前記サービス情報を利用するユーザが操作する第２の端末装置と、前記サービス情報を蓄積し、前記第２の端末装置からのユーザによる指定に従って前記サービス情報を提供する複数の情報サービス用サーバと、前記複数の情報サービス用サーバに蓄積されたサービス情報を連携する連携用サーバとがネットワークに接続されるシステムにおける前記連携用サーバによる情報連携方法であって、前記第１の端末装置からの前記登録者による指定があると、前記複数の情報サービス用サーバのそれぞれに蓄積されたサービス情報に対応させたサービスＩＤと、前記サービス情報に関連する情報のサービスＩＤと、情報交換ＩＤとが紐付けされたサービス情報テーブル、及び、前記サービスＩＤのそれぞれに紐付けされた前記情報交換ＩＤを含む連携情報テーブルを、前記登録者による指定に対応する情報交換ＩＤ及びサービスＩＤに基づいて、記憶部に記憶するステップと、前記複数の情報サービス用サーバのうちの前記ユーザが利用する情報サービス用サーバに対し、前記第２の端末装置からの前記ユーザによる指定があると、前記ユーザによる指定に対応するサービスＩＤを、前記情報サービス用サーバから受信するステップと、前記記憶部の連携情報テーブルから、前記サービスＩＤに紐付けられた情報交換ＩＤを追跡し、前記記憶部のサービス情報テーブルから、前記追跡した情報交換ＩＤに紐付けられた全てのサービスＩＤを取得するステップと、前記取得したサービスＩＤ及びそれに紐付けられた全てのサービスＩＤを、前記情報サービス用サーバへ送信するステップと、を有することを特徴とする。
【発明の効果】
【００１４】
本発明によれば、利用者がアクセスした情報サービス用サーバが保有するサービス情報を提供する以外に、該サービス情報に関連し、他の情報サービス用サーバが保有するサービス情報をも同時に提供するようにした。これにより、利用者は、所望のサービス情報に加えて、そのサービス情報に関連するサービス情報を取得することができる。
【図面の簡単な説明】
【００１５】
【図１】本発明の実施形態による情報連携システムの概略構成を示すブロック図である。
【図２】端末装置の概略構成を示すブロック図である。
【図３】情報サービス用サーバの概略構成を示すブロック図である。
【図４】映画サービス用サーバに構築される作品レビューデータベースを示す図である。
【図５】映画サービス用サーバに構築される上映情報データベースを示す図である。
【図６】音楽サービス用サーバに構築される作品レビューデータベースを示す図である。
【図７】ショッピングサービス用サーバに構築される商品情報データベースを示す図である。
【図８】連携用サーバの概略構成を示すブロック図である。
【図９】連携用サーバにおけるサービス連携情報登録部の概略構成及び記憶部内のデータを示す図である。
【図１０】製品バリエーショングループのサービス情報テーブルを示す図である。
【図１１】作品グループのサービス情報テーブルを示す図である。
【図１２】連携情報テーブルを示す図である。
【図１３】映画サービス登録者が操作する端末装置の画面例を示す図である。
【図１４】映画サービス登録者が操作する端末装置の画面例を示す図である。
【図１５】サービス連携状態を概念的に示した図である。
【図１６】連携用サーバにおけるサービス連携情報利用部の概略構成及び記憶部内のデータを示す図である。
【図１７】映画サービス利用者が操作する端末装置の画面例を示す図である。
【図１８】映画サービス利用者が操作する端末装置の画面例を示す図である。
【図１９】サービス連携情報登録時のシーケンスを示す図である。
【図２０】連携用サーバのサービス連携情報登録処理を説明するためのフローチャートである。
【図２１】サービス連携情報利用時のシーケンスを示す図である。
【図２２】連携用サーバのサービス連携情報利用処理を説明するためのフローチャートである。
【発明を実施するための形態】
【００１６】
以下、本発明を実施するための最良の形態について、図面を参照して説明する。本発明の実施形態は、それぞれが表示部を備えた連携情報登録用の端末装置と、それぞれが表示部を備えた利用者（ユーザ）用の端末装置と、ネットワークを介して連携情報登録用の端末装置及び利用者用の端末装置のそれぞれと双方向通信を行う連携用サーバと、ネットワークを介して利用者用の端末装置と双方向通信を行う情報サービス用サーバ（「映画サービス用サーバ」、「音楽サービス用サーバ」、「ショッピングサービス用サーバ」）と、を備えたネットワークシステムを想定している。利用者が、利用者用の端末装置を用いて１つの情報サービス用サーバへアクセスし所望のサービス情報を指定したときに、連携用サーバは、利用者が指定した所望のサービス情報に関連した、他の情報サービス用サーバが保有するサービス情報を提供する。
【００１７】
（情報連携システムの構成）
図１は、本発明の実施形態による情報連携システムの概略構成を示すブロック図である。この情報連携システム１００は、スマートフォンと呼ばれ、通常の音声通話の通信機能の他にネットワーク機能、スケジュール機能、個人情報管理機能などの多種多様な機能を備えた端末装置１−１，１−２，１−３，・・・及び２−１，２−２，・・・と、ネットワーク７を介して端末装置１−１，１−２，１−３，・・・及び端末装置２−１，２−２，・・・のそれぞれと双方向通信を行う連携用サーバ３と、映画情報をサービスする映画サービス用サーバ（情報サービス用サーバ）４−１と、映画サービス用サーバ４−１に接続される作品レビューデータベース４０−１と、映画サービス用サーバ４−１に接続される上映情報データベース４０−２と、音楽情報をサービスする音楽サービス用サーバ（情報サービス用サーバ）５−１と、音楽サービス用サーバ５−１に接続される作品レビューデータベース５０−１と、ショッピングサービスを行うショッピングサービス用サーバ（情報サービス用サーバ）６−１と、ショッピングサービス用サーバ６−１に接続される商品情報データベース６０−１と、を備える。
【００１８】
尚、スマートフォンとも呼ばれる端末装置以外に、インターネットに接続可能な携帯端末（主に携帯電話）またはパーソナルコンピュータ（デスクトップパソコン、ノートパソコン）であっても構わない。
【００１９】
端末装置１−１，１−２，１−３，・・・は、映画サービス用サーバ４−１、音楽サービス用サーバ５−１及びショッピングサービス用サーバ６−１の各情報サービス用サーバに蓄積されたサービス情報を連携するための情報の登録に用いられるものである。映画サービス用サーバ４−１、音楽サービス用サーバ５−１及びショッピングサービス用サーバ６−１の各情報サービス用サーバには、それぞれ専属の登録者がいて、各登録者が自身の担当する情報サービス用サーバに対して各種の情報を登録する。端末装置２−１，２−２，・・・は、映画サービス用サーバ４−１、音楽サービス用サーバ５−１及びショッピングサービス用サーバ６−１の各情報サービス用サーバからサービス情報の取得を希望する利用者が使用するものである。端末装置１−１，１−２，１−３，・・・及び端末装置２−１，２−２，・・・はそれぞれ同一の構成を有している。
【００２０】
以下、端末装置１−１，１−２，１−３，・・・、端末装置２−１，２−２，・・・、連携用サーバ３、映画サービス用サーバ４−１、音楽サービス用サーバ５−１及びショッピングサービス用サーバ６−１のそれぞれについて詳細に説明する。尚、端末装置１−１，１−２，１−３，・・・は、それぞれ同一構成且つ同一機能を有しているので、端末装置１−１を例に挙げて説明することとする。また、端末装置２−１，２−２，・・・においてもそれぞれが同一構成且つ同一機能を有しているので、端末装置２−１を例に挙げて説明することとする。
【００２１】
（端末装置１−１及び端末装置２−１の構成）
図２は、端末装置１−１（２−１）の概略構成を示すブロック図である。同図において、端末装置１−１（２−１）は、入力部１０（２０）と、表示部１１（２１）と、通信部１２（２２）と、制御部１３（２３）とを備える。入力部１０（２０）は、端末装置１−１（２−１）を操作するための入力を行うものであり、表示部１１（２１）の画面上に配置して使用するタッチパッド（図示略）を有し、このタッチパッドに触れた位置の座標情報を出力する。表示部１１（２１）は、液晶ディスプレイや有機ＥＬ（Ｅｌｅｃｔｒｏ  Ｌｕｍｉｎｅｓｃｅｎｃｅ）ディスプレイなどの表示器を有し、端末装置１−１（２−１）の使用時における各種表示を行う。端末装置１−１の通信部１２は、インターネットなどのネットワーク７に接続して連携用サーバ３との間でデータの送受信を行う。インターネットなどのネットワーク７におけるデータのやりとりに必要なプロトコルとして、例えばＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）及びＨＴＴＰ（Ｈｙｐｅｒ  Ｔｅｘｔ  Ｔｒａｎｓｆｅｒ  Ｐｒｏｔｏｃｏｌ）を用いている。端末装置１−１の通信部１２は、ＴＣＰ／ＩＰを使用して連携用サーバ３との間の通信路を開設し、ＨＴＴＰを使用してデータの送受信を行う。
【００２２】
一方、端末装置２−１の通信部２２は、インターネットなどのネットワーク７に接続して映画サービス用サーバ４−１、音楽サービス用サーバ５−１及びショッピングサービス用サーバ６−１の各情報サービス用サーバとの間でデータの送受信を行う。この通信部２２においてもインターネットなどのネットワーク７におけるデータのやりとりに必要なプロトコルとして、例えばＴＣＰ／ＩＰ及びＨＴＴＰを用いている。端末装置２−１の通信部２２は、ＴＣＰ／ＩＰを使用して映画サービス用サーバ４−１、音楽サービス用サーバ５−１及びショッピングサービス用サーバ６−１の各情報サービス用サーバとの間の通信路を開設し、ＨＴＴＰを使用してデータの送受信を行う。
【００２３】
（情報サービス用サーバの構成）
次に、情報サービス用サーバの構成について説明する。図３は、映画サービス用サーバ４−１、音楽サービス用サーバ５−１及びショッピングサービス用サーバ６−１の各情報サービス用サーバの概略構成を示すブロック図である。尚、本実施例では、映画サービス用サーバ４−１、音楽サービス用サーバ５−１及びショッピングサービス用サーバ６−１の各情報サービス用サーバは、それぞれが有するデータベースの内容に違いがある以外はいずれも同一の構成を有している。
【００２４】
図３において、映画サービス用サーバ４−１、音楽サービス用サーバ５−１及びショッピングサービス用サーバ６−１の各情報サービス用サーバは、記憶部４０（５０，６０）と、表示部４１（５１，６１）と、通信部４２（５２，６２）と、制御部４３（５３，６３）とを備える。映画サービス用サーバ４−１の記憶部４０には、作品レビューＤＢ（データベース）４０−１及び上映情報ＤＢ４０−２が記憶されている。
【００２５】
図４は、作品レビューＤＢ４０−１を示す図である。同図に示すように、作品レビューＤＢ４０−１は、映画作品に関するサービスＩＤ（例えばＭＶ３００）及びサービス情報（作品レビューＵＲＬ）で構築される。図５は、上映情報ＤＢ４０−２を示す図である。同図に示すように、上映情報ＤＢ４０−２は、上映に関するサービスＩＤ（例えばＭＶ３００）及びサービス情報（上映情報ＵＲＬ）で構築される。
【００２６】
図３に戻って、映画サービス用サーバ４−１の制御部４３は、例えば利用者の端末装置２−１から利用指示が送信されてきた場合に、作品レビューＤＢ４０−１から映画作品に関するサービスＩＤ（ＭＶ３００）及びサービス情報（作品レビューＵＲＬ）を取得するとともに、上映情報ＤＢ４０−２から上映に関するサービスＩＤ及びサービス情報（上映情報ＵＲＬ）を取得する。そして、これらの情報を通信部４２から利用者の端末装置２−１へ送信する。また、映画サービス用サーバ４−１の制御部４３は、利用者の利用指示に対応するサービスＩＤを通信部４２から連携用サーバ３へ送信する。
【００２７】
映画サービス用サーバ４−１の通信部４２は、インターネットなどのネットワーク７に接続して、利用者の端末装置２−１，２−２，・・・及び連携用サーバ３のそれぞれとの間でデータの送受信を行う。この通信部４２においてもインターネットなどのネットワーク７におけるデータのやりとりに必要なプロトコルとして、例えばＴＣＰ／ＩＰ及びＨＴＴＰを用いている。通信部４２は、ＴＣＰ／ＩＰを使用して利用者の端末装置２−１，２−２，・・・のそれぞれとの間の通信路を開設し、ＨＴＴＰを使用してデータの送受信を行う。また、通信部４２は、ＴＣＰ／ＩＰを使用して連携用サーバ３との間の通信路を開設し、ＨＴＴＰを使用してデータの送受信を行う。映画サービス用サーバ４−１の表示部４１は、液晶ディスプレイまたは有機ＥＬディスプレイなどの表示器を有し、映画サービス用サーバ４−１の使用時における各種表示を行う。尚、映画サービス用サーバ４−１、音楽サービス用サーバ５−１及びショッピングサービス用サーバ６−１の各情報サービス用サーバには必ずしも表示部を設ける必要はなく、省略することも勿論可能である。
【００２８】
音楽サービス用サーバ５−１の記憶部５０には、作品レビューＤＢ（データベース）５０−１が記憶されている。図６は、作品レビューＤＢ５０−１を示す図である。同図に示すように、作品レビューＤＢ５０−１は、音楽作品に関するサービスＩＤ（例えばＭＳ５００）及びサービス情報（作品レビューＵＲＬ）で構築される。
【００２９】
図３に戻って、音楽サービス用サーバ５−１の制御部５３は、例えば利用者の端末装置２−１から利用指示が送信されてきた場合に、作品レビューＤＢ５０−１から音楽作品に関するサービスＩＤ及びサービス情報（作品レビューＵＲＬ）を取得し、この情報を通信部５２から利用者の端末装置２−１へ送信する。また、音楽サービス用サーバ５−１の制御部５３は、利用者の利用指示に対応するサービスＩＤを通信部５２から連携用サーバ３へ送信する。音楽サービス用サーバ５−１の通信部５２は、インターネットなどのネットワーク７に接続して利用者の端末装置２−１，２−２，・・・及び連携用サーバ３のそれぞれとの間でデータの送受信を行う。この通信部５２においてもインターネットなどのネットワーク７におけるデータのやりとりに必要なプロトコルとして、例えばＴＣＰ／ＩＰ及びＨＴＴＰを用いている。通信部５２は、ＴＣＰ／ＩＰを使用して利用者の端末装置２−１，２−２，・・・のそれぞれとの間の通信路を開設し、ＨＴＴＰを使用してデータの送受信を行う。また、通信部５２は、ＴＣＰ／ＩＰを使用して連携用サーバ３との間の通信路を開設し、ＨＴＴＰを使用してデータの送受信を行う。音楽サービス用サーバ５−１の表示部５１は、液晶ディスプレイまたは有機ＥＬディスプレイなどの表示器を有し、音楽サービス用サーバ５−１の使用時における各種表示を行う。
【００３０】
ショッピングサービス用サーバ６−１の記憶部６０には、商品情報ＤＢ（データベース）６０−１が記憶されている。図７は、商品情報ＤＢ６０−１を示す図である。同図に示すように、商品情報ＤＢ６０−１は、商品情報に関するサービスＩＤ（例えばＳＰ１００）及びサービス情報（商品情報ＵＲＬ）で構築される。
【００３１】
図３に戻って、ショッピングサービス用サーバ６−１の制御部６３は、例えば利用者の端末装置２−１から利用指示が送信されてきた場合に、商品情報ＤＢ６０−１から商品情報に関するサービスＩＤ及びサービス情報（商品情報ＵＲＬ）を取得し、この情報を通信部６２から利用者の端末装置２−１へ送信する。また、ショッピングサービス用サーバ６−１の制御部６３は、利用者の利用指示に対応するサービスＩＤを通信部６２から連携用サーバ３へ送信する。ショッピングサービス用サーバ６−１の通信部６２は、インターネットなどのネットワーク７に接続して利用者の端末装置２−１，２−２，・・・及び連携用サーバ３のそれぞれとの間でデータの送受信を行う。この通信部６２においてもインターネットなどのネットワーク７におけるデータのやりとりに必要なプロトコルとして、例えばＴＣＰ／ＩＰ及びＨＴＴＰを用いている。通信部６２は、ＴＣＰ／ＩＰを使用して利用者の端末装置２−１，２−２，・・・のそれぞれとの間の通信路を開設し、ＨＴＴＰを使用してデータの送受信を行う。また、通信部６２は、ＴＣＰ／ＩＰを使用して連携用サーバ３との間の通信路を開設し、ＨＴＴＰを使用してデータの送受信を行う。ショッピングサービス用サーバ６−１の表示部６１は、液晶ディスプレイまたは有機ＥＬディスプレイなどの表示器を有し、ショッピングサービス用サーバ６−１の使用時における各種表示を行う。
【００３２】
（連携用サーバ３の構成）
次に、連携用サーバ３の構成について説明する。図８は、連携用サーバ３の概略構成を示すブロック図である。同図において、連携用サーバ３は、制御部３０と、通信部３１と、記憶部３２と、サービス連携情報登録部３３と、サービス連携情報利用部３４とを備える。制御部３０は装置各部を制御する。通信部３１は、インターネットなどのネットワーク７に接続して利用者の端末装置２−１，２−２，・・・，映像サービス用サーバ４−１，音楽サービス用サーバ５−１，ショッピングサービス用サーバ６−１，・・・のそれぞれとの間でデータの送受信を行う。この通信部３１においてもインターネットなどのネットワーク７におけるデータのやりとりに必要なプロトコルとして、例えばＴＣＰ／ＩＰ及びＨＴＴＰを用いている。通信部３１は、ＴＣＰ／ＩＰを使用して利用者の端末装置２−１，２−２，・・・のそれぞれとの間の通信路を開設し、ＨＴＴＰを使用してデータの送受信を行う。また、通信部３１は、ＴＣＰ／ＩＰを使用して映像サービス用サーバ４−１，音楽サービス用サーバ５−１，ショッピングサービス用サーバ６−１，・・・のそれぞれとの間の通信路を開設し、ＨＴＴＰを使用してデータの送受信を行う。
【００３３】
尚、記憶部３２には、後述する情報交換グループ毎の「サービス情報テーブル」が記憶されるとともに、「連携情報テーブル」が記憶される。また、詳細は後述するが、図１０は、製品バリエーショングループの「サービス情報テーブル」の一例を示す図である。また、図１１は、作品グループの「サービス情報テーブル」の一例を示す図である。また、図１２は、「連携情報テーブル」の一例を示す図である。
【００３４】
（サービス連携情報登録部３３）
図８に戻って、サービス連携情報登録部３３は、端末装置１−１，１−２，１−３，・・・を扱う登録者の指示に従い、サービス連携情報の作成を行う。ここで、サービス連携情報とは、映画情報、音楽情報、商品情報のなかで関連する情報をグループ化したものである。例えば、図１０に示すサービス情報テーブル１７０において、情報交換ＩＤ（連携用サーバ３内で使用するＩＤ）に紐付けられたＭＶ３００、ＭＳ５００、ＳＰ１００の各種サービスＩＤ及びそれぞれのサービス情報（作品レビューＵＲＬ  ｖ１−１、ＵＲＬ  ｓ１−１、ＵＲＬ  ｐ１−１）がサービス連携情報である。
【００３５】
図９は、サービス連携情報登録部３３の概略構成と記憶部３２内のデータを示す図である。同図において、サービス連携情報登録部３３は、情報交換グループ設定部３３０と、情報交換ＩＤ設定部３３１と、サービスＩＤ及びサービス情報設定部３３２と、情報交換ＩＤ連携設定部３３３とを備える。情報交換グループ設定部３３０は、情報連携サービスメニューを作成する。
【００３６】
図１３は、映画サービス登録者が操作する端末装置１の画面例を示す図であり、情報交換グループ設定部３３０で作成された情報連携サービスメニューの一例を示している。情報連携サービスメニュー１５０は、連携用サーバ３より送信される。すなわち、端末装置１−１，１−２，１−３，・・・のなかで登録指示を送信した端末装置に対して、連携用サーバ３から情報連携サービスメニュー１５０が送信される。情報連携サービスメニュー１５０には、製品バリエーションの選択ボタン（画面スイッチ）１５０１、スペック（仕様）の選択ボタン１５０２、作品の選択ボタン１５０３、人物の選択ボタン１５０４などの各種選択ボタンが表示される。
【００３７】
登録者は、情報連携サービスメニュー１５０にて連携させる情報の入力を行うために、各種選択ボタンを選択すると、選択した選択ボタンに対応する入力画面が表示される。図１４は、映画サービス登録者が操作する端末装置１の画面例を示す図である。本図は、製品バリエーションの入力画面の一例として、”製品バリエーション”の選択ボタン１５０１を選択したときに表示される画面を示している。製品バリエーショングループ１６０は、連携用サーバ３により送信される。同図に示すように、製品バリエーションの入力画面には、情報交換ＩＤを入力するための入力ウィンドウ１６０１、サービスＩＤを入力するための入力ウィンドウ１６０２、作品レビューＵＲＬなどの情報を入力するための入力ウィンドウ１６０３がそれぞれ表示される。登録者がこれらの入力ウィンドウ１６０１〜１６０３に情報を入力することで、情報交換ＩＤ設定部３３１及びサービスＩＤ及びサービス情報設定部３３２は、それらの情報を、図１０に示す製品バリエーショングループのサービス情報テーブルに書き込む（即ち登録する）。さらに、情報交換ＩＤ連携設定部３３３は、図１２に示す連携情報テーブル１９０に、サービスＩＤとそれに対応する情報交換ＩＤを書き込む（即ち登録する）。
【００３８】
図１０に示すサービス情報テーブルには、情報交換ＩＤ：Ｇ１００１に対し、映画サービスのサービスＩＤ：ＭＶ３００、映画サービスのサービス情報：作品レビューＵＲＬ  ｖ１−１、音楽サービスのサービスＩＤ：ＭＳ５００、音楽サービスのサービス情報：作品レビューＵＲＬ  ｓ１−１）、ショッピングサービスのサービスＩＤ：ＳＰ１００、ショッピングサービスのサービス情報：作品レビューＵＲＬ  ｐ１−１がそれぞれ書き込まれている。また、情報交換ＩＤ：Ｇ１００２に対し、映画サービスのサービスＩＤ：ＭＶ３００、映画サービスのサービス情報：作品レビューＵＲＬ  ｖ１−１が書き込まれている。また、図１２に示す連携情報テーブルには、映画サービスのサービスＩＤ：ＭＶ３００に対し、情報交換ＩＤ：Ｇ１００１，Ｇ１００２，Ｇ３００１が書き込まれている。
【００３９】
また、図１３に示す情報連携サービスメニュー１５０にて、”作品”の選択ボタン１５０３を選択し、情報交換ＩＤ、サービスＩＤ及びサービス情報の入力を行うことで、入力した各種情報が図１１に示す作品グループのサービス情報テーブル１８０に書き込まれる（登録される）とともに、連携情報テーブル１９０に書き込まれる（登録される）。
【００４０】
図１５は、サービス連携状態を概念的に示した図である。同図に示すように、製品バリエーショングループの情報交換ＩＤ２００及び作品グループの情報交換ＩＤにおいて、映画サービスのサービスＩＤ：ＭＶ３００が、製品バリエーショングループの情報交換ＩＤ：Ｇ１００１，Ｇ１００２と作品グループの情報交換ＩＤ：Ｇ３００１のそれぞれに関連している。また、音楽サービスのサービスＩＤ：ＭＳ５００が、製品バリエーショングループの情報交換ＩＤ：Ｇ１００１に関連している。また、ショッピングサービスのサービスＩＤ：ＳＰ１００が、製品バリエーショングループの情報交換ＩＤ：Ｇ１００１に関連している。そして、情報交換ＩＤ：Ｇ１００１，Ｇ１００２，Ｇ３００１が紐付けられた形になっている。
【００４１】
以上のようにして、サービス情報テーブル１７０，１８０及び連携情報テーブル１９０が作成されることで、制御部３０がそれらのサービス情報テーブル１７０，１８０，１９０を記憶部３２に記憶させる。
【００４２】
（サービス連携情報利用部３４）
図８に戻って、サービス連携情報利用部３４は、映画サービス用サーバ４−１、音楽サービス用サーバ５−１及びショッピングサービス用サーバ６−１のそれぞれの情報サービス用サーバから送信されてくるサービスＩＤを受信し、受信したサービスＩＤから関連するサービスを取得する。そして、サービス連携情報利用部３４は、取得したサービスの情報（取得情報）を、サービスＩＤを送信してきた情報サービス用サーバへ送信する。そして、この取得情報は、利用者の端末装置２−１，２−２，・・・のうち、利用指示を送信した端末装置へ送信される。例えば、端末装置２−１から利用指示が送信された場合、取得情報は、情報サービス用サーバを介して端末装置２−１へ向けて送信される。
【００４３】
図１６は、サービス連携情報利用部３４の概略構成と記憶部３２内のデータを示す図である。同図において、サービス連携情報利用部３４は、サービスＩＤ受付部３４０と、情報交換ＩＤ追跡部３４１と、関連サービス取得部３４２とを備える。
【００４４】
サービスＩＤ受付部３４０は、映画サービス用サーバ４−１、音楽サービス用サーバ５−１及びショッピングサービス用サーバ６−１のそれぞれの情報サービス用サーバから送信されてくるサービスＩＤを受信する。情報交換ＩＤ追跡部３４１は、サービスＩＤ受付部３４０で受信されたサービスＩＤを基に、情報交換ＩＤを追跡し取得する。例えば、受信したサービスＩＤがＭＶ３００の場合、ＭＶ３００に関連する情報交換ＩＤを取得する。図１２に示す連携情報テーブル１９０の場合、Ｇ１００１，Ｇ１００２，Ｇ３００１が取得される。このように、情報交換ＩＤ追跡部３４１は、例えばサービスＩＤ：ＭＶ３００については、情報交換ＩＤ：Ｇ１００１，Ｇ１００２，Ｇ３００１を取得する。
【００４５】
図１６に戻って、関連サービス取得部３４２は、情報交換ＩＤ追跡部３４１で取得された情報交換ＩＤに関連する全てのサービスＩＤ及びサービス情報を取得する。関連サービス取得部３４２は、情報交換ＩＤに関連するサービスＩＤ及びサービス情報を取得する際に、記憶部３２に記憶されている情報交換グループ毎のサービス情報テーブル１７０，１８０などのサービス情報テーブルを参照する。例えば、情報交換ＩＤがＧ１００１の場合、そのＧ１００１に関連するサービスＩＤ及びサービス情報は、図１０の製品バリエーショングループのサービス情報テーブル１７０に示すように、映画サービスにおいては、サービスＩＤ：ＭＶ３００、サービス情報：作品レビューＵＲＬ  ｖ１−１である。また、音楽サービスにおいては、サービスＩＤ：ＭＳ５００、サービス情報：作品レビューＵＲＬ  ｓ１−１である。また、ショッピングサービスにおいては、サービスＩＤ：ＳＰ１００、サービス情報：作品レビューＵＲＬ  ｐ１−１である。
【００４６】
以上のようにして、情報交換ＩＤに関連する全てのサービスＩＤ及びサービス情報が取得されることで、制御部３０がそれらの取得情報を、サービスＩＤを送信してきた情報サービス用サーバへ送信する。この取得情報は、利用者の端末装置２−１，２−２，・・・のうち、利用指示を送信してきた端末装置へ送信される。
【００４７】
図１７は、利用者が映画サービスを利用した場合の端末装置２における初期画面の一例を示す図である。同図において、映画サービスを利用する場合、まず端末装置（ここでは、端末装置２−１とする）が映画サービス用サーバ４−１へアクセスする。映画サービス用サーバ４−１へアクセスすることで、映画サービス用サーバ４−１がＨＴＴＰを利用して映画サービスに関する画面データを送信する。端末装置２−１の制御部２３は、映画サービス用サーバ４−１から送信されてきた画面データより初期画面２００を表示部１１に表示する。初期画面２００の表示領域２００１には、例えば、映画のタイトル名”ＡＢＣＤ””ＥＦＧＨ”等が表示される。利用者が、この表示領域２００１に表示された映画のタイトル名（図１７では、例えば”ＡＢＣＤ”）を指定することで、その映画のタイトル名に関する識別情報を含む利用指示が映画サービス用サーバ４−１へ送信される。映画サービス用サーバ４−１は、利用指示を受信すると、利用指示に含まれる識別情報に対応するサービスＩＤを特定して連携用サーバ３へ送信する。そうすると、端末装置２−１は、連携用サーバ３から映画サービス用サーバ４−１を介して取得情報が送信されてくるので、それを受信する。
【００４８】
端末装置２−１の制御部２３は、連携用サーバ３から映画サービス用サーバ４−１を介して送信されてきた取得情報を受信することで、その取得情報を表示するための情報表示画面に切替える。そして、情報表示画面に取得情報を表示する。
【００４９】
図１８は、端末装置２における情報表示画面２２０の一例を示す図である。情報表示画面２２０には、映画サービスの情報を表示するための表示領域２２０１と、音楽サービスの情報を表示するための表示領域２２０２と、ショッピングサービスの情報を表示するための表示領域２２０３とがある。この図に示す表示領域２２０１には、”作品レビュー情報”、”上映情報”及び”コメント”が表示されている。また、表示領域２２０２には、”作品レビュー情報”が表示されている。また、表示領域２２０３には、”商品情報”が表示されている。尚、表示領域２２０１に表示されている”コメント”は、登録者によって記述されたものである。図１８には、映画のタイトル名”ＡＢＣＤ”に関連する映画サービスの情報に加えて、関連する音楽サービス及びショッピングサービスの各種情報も表示されている。
【００５０】
（情報連携システム１００の動作）
次に、図１に示した情報連携システム１００の動作を説明する。図１９は、サービス連携情報登録時の端末装置１−１と連携用サーバ３との間の処理の流れを示すシーケンス図である。ここで、端末装置１−１を使用する登録者は、映画サービスの登録者であるとする。同図において、映画サービスの登録者が端末装置１−１を使用して連携用サーバ３へアクセスし、双方向通信が確立した後に、登録者は登録指示を送信するための操作を行う。これにより、端末装置１−１から連携用サーバ３へ登録指示が送信される。連携用サーバ３は、端末装置１−１から送信されてきた登録指示を受信すると、サービス情報テーブル（図１０、図１１を参照）を作成する。そして、映画サービスの登録者によるその後の指示に従い、サービス情報テーブルに映画サービスに関連する情報を登録する。さらに、連携用サーバ３は、連携情報テーブルを作成する。連携用サーバ３は、サービス情報テーブル及び連携情報テーブルの完成後、端末装置１−１へ登録完了を送信する。
【００５１】
図２０は、連携用サーバ３におけるサービス連携情報登録処理を示すフローチャートである。同図において、サービス連携情報登録部３３の情報交換グループ設定部３３０が、図１３に示す情報連携サービスのメニューを作成する（ステップＳ１０）。情報交換グループ設定部３３０が連携メニューを作成した後、制御部３０が、連携メニューにおいてメニュー選択がされたかどうかを判定し（ステップＳ１１）、メニュー選択がされていない場合（ステップＳ１１：ＮＯ）、メニュー選択がされるまでステップＳ１１の判定を繰り返す。これに対して、メニュー選択がされた場合（ステップＳ１１：ＹＥＳ）、サービス連携情報登録部３３の情報交換ＩＤ設定部３３１にその旨を通知する。この通知により、情報交換ＩＤ設定部３３１が、当該連携メニューにおける情報交換ＩＤの設定を行う（ステップＳ１２）。例えば、登録者が製品バリエーションを選択した場合、図１４に示す製品バリエーショングループ画面で情報交換ＩＤの設定を行う。
【００５２】
登録者による情報交換ＩＤの入力は、図１４に示す入力ウィンドウ１６０１で行われる。情報交換ＩＤ設定部３３１にて情報交換ＩＤの設定が行われた後、サービスＩＤ及びサービス情報設定部３３２がサービスＩＤ及びサービス情報の設定を行う（ステップＳ１３）。例えば、図１４に示す製品バリエーショングループ画面において、サービスＩＤ及びサービス情報の設定を行う。登録者によるサービスＩＤ及びサービス情報の入力は、入力ウィンドウ１６０２と入力ウィンドウ１６０３とで行われる。そして、制御部３０が、情報交換ＩＤの設定とサービスＩＤ及びサービス情報の設定が終了したかどうか判定し（ステップＳ１４）、当該設定が終了していない場合（ステップＳ１４：ＮＯ）は、ステップＳ１２で、情報交換ＩＤ設定部３３１に情報交換ＩＤの設定処理を行わせる。これに対して、情報交換ＩＤの設定とサービスＩＤ及びサービス情報の設定が終了した場合（ステップＳ１４：ＹＥＳ）、制御部３０は、情報交換ＩＤ連携設定部３３３にその旨を通知する。この通知により、情報交換ＩＤ連携設定部３３３が、情報交換ＩＤ連携設定を行い、連携情報テーブルを作成する（ステップＳ１５）。例えば、図１２に示す連携情報テーブル１９０を作成する。
【００５３】
次に、サービス連携情報利用時の処理について説明する。図２１は、サービス連携情報利用時の端末装置２−１と映画サービス用サーバ４−１と連携用サーバ３との間の処理の流れを示すシーケンス図である。同図において、利用者が映画サービスを受けるために、端末装置２−１を使用して映画サービス用サーバ４−１へアクセスする。そして、端末装置２−１と映画サービス用サーバ４−１との間の双方向通信が確立した後、利用者は、利用指示を送信するための操作を行う。映画サービス用サーバ４−１は、利用者の端末装置２−１から映画のタイトル名に関する識別情報を含む利用指示を受け取ると、その識別情報に対応するサービスＩＤを特定し、連携用サーバ３へサービスＩＤを送信する。連携用サーバ３は、映画サービス用サーバ４−１から送信されてきたサービスＩＤを受信すると、サービス情報テーブル（例えば、図１０の製品バリエーショングループのサービス情報テーブル１７０、図１１の作品グループのサービス情報テーブル１８０）を参照するとともに、連携情報テーブル（例えば、図１２の連携情報テーブル１９０）を参照し、利用者が指定した映画情報に関する情報と、該情報に関連する音楽情報及び商品情報を取得する。そして、取得した情報即ち取得情報を映画サービス用サーバ４−１へ送信する。映画サービス用サーバ４−１は、連携用サーバ３から送信されてきた取得情報を受信すると、その情報を利用者の端末装置２−１へ送信する。
【００５４】
尚、取得情報には、映画の上映情報のＵＲＬ、映画、音楽等の各作品レビューＵＲＬが含まれるが、これらのＵＲＬそのものを端末装置２−１へ送信する以外に、これらのＵＲＬを用いて、Ｗｅｂサーバ（図示略）へアクセスして、該当する情報を取得し、それを送信するようにしても良い。また、ＵＲＬとともに、該ＵＲＬで取得した情報の双方を送信するようにしても良い。
【００５５】
また、映画サービスの場合、映画サービスの情報に、音楽サービスの情報とショッピングサービスの情報の両方が関連することもあれば、両方共関連しないこともあり、さらには、いずれか一方のみ関連することもあるので、必ずしも利用者が指定した映画情報に関する情報と該情報に関連する音楽情報及び商品情報を取得できるとは限らない。いずれにせよ、取得できた情報の全てを利用者の端末装置２−１へ送信する。このことは、音楽サービス用サーバ５−１またはショッピングサービス用サーバ６−１へアクセスした場合も同様である。また、サービス情報には、作品レビュー、上映情報及びこれらに関連するＵＲＬ以外に様々な情報があるものとする。
【００５６】
図２２は、連携用サーバ３におけるサービス連携情報利用処理を示すフローチャートである。同図において、サービス連携情報利用部３４のサービスＩＤ受付部３４０が、情報サービス用サーバ（例えば、映画サービス用サーバ４−１）から送信されてくるサービスＩＤの受信を行う（ステップＳ２０）。サービスＩＤを受信した場合、サービス情報テーブル（例えば、図１０の製品バリエーショングループのサービス情報テーブル１７０及び図１１の作品グループのサービス情報テーブル１８０）を参照して、受信したサービスＩＤを有しているかどうか判定する（ステップＳ２１）。受信したサービスＩＤを有していない場合（ステップＳ２１：ＮＯ）、ステップＳ２０でサービスＩＤの受信を行う。これに対し、受信したサービスＩＤを有している場合（ステップＳ２１：ＹＥＳ）、受信したサービスＩＤを受け付ける（ステップＳ２２）。次に、情報交換ＩＤ追跡部３４１が、連携情報テーブル（例えば、図１２の連携情報テーブル１９０）を参照して、情報交換ＩＤを追跡する（ステップＳ２３）。情報交換ＩＤ追跡部３４１が情報交換ＩＤを追跡した後、その結果に基づき、関連サービス取得部３４２が、記憶部３２に記憶されている情報交換グループ毎のサービス情報テーブル（例えば、図１０の製品バリエーショングループのサービス情報テーブル１７０及び図１１の作品グループのサービス情報テーブル１８０）を参照して、関連するサービスを取得する（ステップＳ２４）。関連するサービスの取得後、本処理を終える。
【００５７】
以上のように、本発明の実施形態による情報連携システム１００によれば、映画サービス用サーバ４−１、音楽サービス用サーバ５−１、ショッピングサービス用サーバ６−１などの複数の情報サービス用サーバのそれぞれに蓄積されたサービス情報を連携する連携用サーバ３を備え、連携用サーバ３は、複数の情報サービス用サーバのそれぞれに蓄積されたサービス情報に対応させたサービスＩＤと、複数の情報サービス用サーバのそれぞれに蓄積されたサービス情報又は当該サービス情報に関連する情報のサービスＩＤとが紐付けされた状態で記憶した記憶部３２と、複数の情報サービス用サーバのうちの利用者が利用する情報サービス用サーバに対し、例えば端末装置２−１を操作する利用者による指定に従って、記憶部３２から、利用者による指定に対応するサービスＩＤ及びそれに紐付けられた全てのサービスＩＤを取得するサービス連携情報利用部３４と、サービス連携情報利用部３４により取得されたサービスＩＤを、利用者が利用する情報サービス用サーバへ送信する通信部３１とを備えるようにした。これにより、利用者は、アクセスした情報サービス用サーバが保有するサービス情報以外に、該サービス情報に関連し、他の情報サービス用サーバが保有するサービス情報をも同時に取得することができる。つまり、利用者は、例えば映画サービス用サーバ４−１へアクセスした場合、映画サービス用サーバ４−１が保有する映画情報以外に、その映画情報に関連する音楽（例えば映画の主題歌）をダウンロードして聴くことができ、またその音楽が収録されたＣＤまたはＤＶＤを購入したりすることができる。
【００５８】
尚、本発明の実施形態による情報連携システム１００のハード構成としては、通常のコンピュータを使用することもできる。すなわち、端末装置１−１，２−１，・・・は、ＣＰＵ、ＲＡＭなどの揮発性の記憶媒体、及びＲＯＭなどの不揮発性の記憶媒体などを備えたコンピュータによって構成できる。また、連携用サーバ３、映画サービス用サーバ４−１、音楽サービス用サーバ５−１及びショッピングサービス用サーバ６−１のそれぞれは、ＣＰＵ、ＲＡＭなどの揮発性の記憶媒体、ＲＯＭなどの不揮発性の記憶媒体、及びハードディスクやＳＳＤ（Ｓｏｌｉｄ  Ｓｔａｔｅ  Ｄｒｉｖｅ）などの大容量記憶装置などを備えたコンピュータによって構成できる。
【００５９】
また、本発明の実施形態による情報連携システム１００の端末装置１−１，２−１，・・・の機能は、この機能を記述したプログラムをＣＰＵに実行させることによりそれぞれ実現される。また、本発明の実施形態による連携用サーバ３、映画サービス用サーバ４−１、音楽サービス用サーバ５−１及びショッピングサービス用サーバ６−１それぞれの機能は、それぞれの機能を記述したプログラムをＣＰＵに実行させることによりそれぞれ実現される。また、これらのプログラムは、磁気ディスク（フロッピー（登録商標）ディスク、ハードディスクなど）、光ディスク（ＣＤ−ＲＯＭ、ＤＶＤなど）、光磁気ディスク、半導体メモリなどの記憶媒体に格納して頒布することもできる。
【符号の説明】
【００６０】
１−１，１−２，１−３，・・・  端末装置
２−１，２−２，・・・  端末装置
３  連携用サーバ
４−１  映画サービス用サーバ
５−１  音楽サービス用サーバ
６−１  ショッピングサービス用サーバ
７  ネットワーク
１０，２０  入力部
１１，２１，４１，５１，６１  表示部
１２，２２，３１，４２，５２，６２  通信部
１３，２３，３０，４３，５３，６３  制御部
３３  サービス連携情報登録部
３４  サービス連携情報利用部
３２，４０，５０，６０  記憶部
４０−１，５０−１  作品レビューデータベース
４０−２  上映情報データベース
６０−１  商品情報データベース
１００  情報連携システム
１７０  製品バリエーショングループのサービス情報テーブル
１８０  作品グループのサービス情報テーブル
１９０  連携情報テーブル
３３０  情報交換グループ設定部
３３１  情報交換ＩＤ設定部
３３２  サービスＩＤ及びサービス情報設定部
３３３  情報交換ＩＤ連携設定部
３４０  サービスＩＤ受付部
３４１  情報交換ＩＤ追跡部
３４２  関連サービス取得部
【図１】
0005166508.tif 000002
【図２】
0005166508.tif 000003
【図３】
0005166508.tif 000004
【図４】
0005166508.tif 000005
【図５】
0005166508.tif 000006
【図６】
0005166508.tif 000007
【図７】
0005166508.tif 000008
【図８】
0005166508.tif 000009
【図９】
0005166508.tif 000010
【図１０】
0005166508.tif 000011
【図１１】
0005166508.tif 000012
【図１２】
0005166508.tif 000013
【図１３】
0005166508.tif 000014
【図１４】
0005166508.tif 000015
【図１５】
0005166508.tif 000016
【図１６】
0005166508.tif 000017
【図１７】
0005166508.tif 000018
【図１８】
0005166508.tif 000019
【図１９】
0005166508.tif 000020
【図２０】
0005166508.tif 000021
【図２１】
0005166508.tif 000022
【図２２】
0005166508.tif 000023